(57)【要約】【課題】植栽舗装面上を人や物が往来しても植栽物が枯れ難い状態に植栽舗装を形成できながら、効率よく設置することができるようにする。【解決手段】舗装面Ｒ上の荷重を受け止め自在なカバー部５を設け、カバー部５に、舗装面Ｒ下から舗装面Ｒ上に植栽物Ｇが生育自在な多数の開口Ｋを設け、カバー部５を舗装下地１上に設置自在な接地部Ｂを設けてある植栽舗装具において、カバー部５を舗装下地１上に離間する状態に位置保持する保持部３を設け、カバー部５と舗装下地１との間に、植栽物Ｇを配置自在な植栽物配置空間Ｖを設けてある。【選択図】        図１
2005000028.tif 000002
【特許請求の範囲】
【請求項１】
舗装面上の荷重を受け止め自在なカバー部を設け、カバー部に、舗装面下から舗装面上に植栽物が生育自在な多数の開口を設け、前記カバー部を舗装下地上に設置自在な接地部を設けてある植栽舗装具であって、
前記カバー部を前記舗装下地上に離間する状態に位置保持する保持部を設け、前記カバー部と前記舗装下地との間に、植栽物を配置自在な植栽物配置空間を設けてある植栽舗装具。
【請求項２】
前記保持部は、前記植栽物配置空間を挟んだ両側に並設状態に設置自在な長尺体で構成してあり、前記長尺体の下縁部が前記接地部であり、前記長尺体の上縁部が前記カバー部を支持する支持部である請求項１に記載の植栽舗装具。
【請求項３】
前記長尺体の下縁部に、前記植栽物配置空間内の水捌けを図る水捌け部を形成してある請求項２に記載の植栽舗装具。
【請求項４】
前記植栽物配置空間に植栽マットを設けてある請求項１〜３の何れか一項に記載の植栽舗装具。
【請求項５】
植栽物に灌水する灌水筒を取付自在な灌水筒取付部を、前記カバー部に設け、前記灌水筒からの水を、前記植栽物配置空間に導く導水手段を設けてある請求項１〜４の何れか一項に記載の植栽舗装具。
【請求項６】
前記灌水筒は、ストレーナパイプで構成してあり、前記導水手段は、前記カバー部の表面に沿って前記ストレーナパイプと交差する方向に伸びる導水溝で構成してある請求項５に記載の植栽舗装具。
【請求項７】
請求項５又は６に記載の植栽舗装具を使用した植栽給水システムであって、
雨水を貯留する貯水槽を設け、前記貯水槽の水を、前記灌水筒取付部に取り付けた前記灌水筒を通して前記植栽物配置空間へ送る給水ポンプを設け、前記植栽物配置空間での水分を検出する水分計を設け、前記貯水槽に水が存在すると共に、前記水分計の測定値が給水開始用に設定された所定値以下である場合に、前記給水ポンプを稼動させるように運転制御を行う給水制御手段を設けてある植栽給水システム。
【請求項８】
給水駆動用電気を供給自在な太陽電池設備を設けた請求項７に記載の植栽給水システム。
【発明の詳細な説明】
【０００１】
【発明の属する技術分野】
本発明は、例えば、駐車場や屋上、道路等、人や物（車両等）の往来のある舗装部を、植栽を備えた舗装部として構成するのに使用する植栽舗装具に関し、更には、その植栽舗装具を使用した植栽給水システムに関し、更に詳しくは、舗装面上の荷重を受け止め自在なカバー部を設け、カバー部に、舗装面下から舗装面上に植栽物が生育自在な多数の開口を設け、前記カバー部を舗装下地上に設置自在な接地部を設けてある植栽舗装具、及び、植栽給水システムに関する。
【０００２】
【従来の技術】
近年、ビルの屋上や、駐車場や、道路等の舗装面を、アスファルトやコンクリート等の無機的な仕上げに替えて、例えば、芝生や、セダム等の植物を設置した仕上げとし、意匠的な価値を向上させたり、舗装下地側への断熱効果の向上を図ったり、植物による二酸化炭素の低下作用から地球温暖化防止の一役を担わせたりすることが実施されつつある。
しかしながら、せっかく植栽を施しても、その植栽舗装面上を人や物が往来すると直接的に踏みつけられることになり、植栽物が枯れる問題がある。これを防止できるものとして考えられた植栽舗装具には、図８に示すようなものがあった。
即ち、例えば、平面形状がハニカム構造の多数の仕切２０Ａによって舗装具本体２０を構成し、前記仕切２０Ａによって囲まれた六角形の空間一つ一つが独立した植栽物配置空間Ｖとして構成され、前記各仕切２０Ａの上縁部が、舗装面上の荷重を受け止めるカバー部５に相当し、各仕切２０Ａの下縁部が、カバー部５を舗装下地１上に接地させる接地部Ｂに相当するものであった。（例えば、特許文献１参照）
そして、当該植栽舗装具の複数を舗装下地１上に敷き並べ、植栽舗装具の各植栽物配置空間Ｖに、それぞれ植栽物Ｇを埋め込んだ形態で使用することによって、植栽物配置空間Ｖの上の開口Ｋを通して植栽物Ｇを観賞することができるようにしたものである。
【０００３】
また、上述の植栽舗装具の各植栽に給水するシステムとしては、特別なものはなく、人がホースを使用して水やりを行うか、スプリンクラ形式の散水機で水やりを行う程度であった。
従って、植栽給水システムの従来技術に関しては、特に詳しく言及した特許文献などは見あたらないので、先行技術文献は示していない。
【０００４】
【特許文献１】
特開２０００−６０３１９号公報（図１）
【０００５】
【発明が解決しようとする課題】
上述した従来の植栽舗装具によれば、植栽物配置空間が、仕切によって細かく分割されており、それら各植栽物配置空間に対して個別に土を入れたり植栽物を植え付けたりする必要があり、植栽舗装の形成に非常に手間が掛かる問題点があった。
【０００６】
従って、本発明の目的は、上記問題点を解消し、植栽舗装面上を人や物が往来しても植栽物が枯れ難い状態に植栽舗装を形成できながら、効率よく設置することが可能な植栽舗装具を提供するところにある。
【０００７】
【課題を解決するための手段】
本発明の第１の特徴構成は、舗装面上の荷重を受け止め自在なカバー部を設け、カバー部に、舗装面下から舗装面上に植栽物が生育自在な多数の開口を設け、前記カバー部を舗装下地上に設置自在な接地部を設けてある植栽舗装具において、前記カバー部を前記舗装下地上に離間する状態に位置保持する保持部を設け、前記カバー部と前記舗装下地との間に、植栽物を配置自在な植栽物配置空間を設けてあるところにある。
【０００８】
本発明の第１の特徴構成によれば、当該植栽舗装具を舗装下地上に設置した状態においては、保持部によって、前記カバー部と前記舗装下地との間に一連の植栽物配置空間ができる状態に、前記カバー部を前記舗装下地上に離間させて位置保持することができる。従って、前記植栽物配置空間の一連の空間にわたって植栽物をまとめて設置することが可能となり、設置効率よく植栽物の設置作業を実施することが可能となる。この植栽物の設置の例を説明すると、例えば、ロール状に巻き取った芝生マットを、前記植栽物配置空間に置いて巻き戻しながら敷設する等の施工を実施でき、極めて迅速に植栽物の設置を行うことが可能となる。
また、植栽舗装面上からの荷重は、前記カバー部、保持部、接地部によって受け止めることができ、植栽物に荷重作用による悪影響を与え難い事に加えて、広い植栽物配置空間にわたって植栽物が根を広げることが可能となり、植栽物を充分に生育させることが可能となる。
【０００９】
本発明の第２の特徴構成は、本発明の第１の特徴構成に加えて、前記保持部は、前記植栽物配置空間を挟んだ両側に並設状態に設置自在な長尺体で構成してあり、前記長尺体の下縁部が前記接地部であり、前記長尺体の上縁部が前記カバー部を支持する支持部であるところにある。
【００１０】
本発明の第２の特徴構成によれば、本発明の第１の特徴構成による上述の作用効果を叶えることができるのに加えて、前記長尺体を舗装下地上の所定の位置に設置するだけで、前記支持部、保持部、接地部をまとめて配置することができ、より植栽舗装の形成を効率よく実施することが可能となる。
また、上述のように、マット状の植栽物を植栽物配置空間に設置する場合には、前記長尺体をガイドとして、各植栽物を整列配置させやすく、綺麗な仕上がりの植栽舗装を迅速に形成することが可能となる。
【００１１】
本発明の第３の特徴構成は、本発明の第２の特徴構成に加えて、前記長尺体の下縁部に、前記植栽物配置空間内の水捌けを図る水捌け部を形成してあるところにある。
【００１２】
本発明の第３の特徴構成によれば、本発明の第２の特徴構成による上述の作用効果を叶えることができるのに加えて、前記水捌け部によって植栽物配置空間内の水捌けを図ることが可能となり、せっかく設置した植栽物が溜まった水で根腐れを起こすと言ったことを防止し易くなる。
【００１３】
本発明の第４の特徴構成は、本発明の第１〜３の何れかの特徴構成に加えて、前記植栽物配置空間に植栽マットを設けてあるところにある。
【００１４】
本発明の第４の特徴構成によれば、本発明の第１〜３の何れかの特徴構成による上述の作用効果を叶えることができるのに加えて、植栽物がマットで構成されているから、植栽物配置空間に土を入れた後に植栽物を植え付けるといった構成に比べて取扱性が高く、植栽舗装の形成を効率よく実施することができる。
【００１５】
本発明の第５の特徴構成は、本発明の第１〜４の何れかの特徴構成に加えて、植栽物に灌水する灌水筒を取付自在な灌水筒取付部を、前記カバー部に設け、前記灌水筒からの水を、前記植栽物配置空間に導く導水手段を設けてあるところにある。
【００１６】
本発明の第５の特徴構成によれば、本発明の第１〜４の何れかの特徴構成による上述の作用効果を叶えることができるのに加えて、灌水筒取付部に、例えば、ホースや給水管等の灌水筒を取り付けることができ、その灌水筒を通して、植栽物配置空間に灌水することが可能となる。そして、前記導水手段によって、植栽物配置空間に広く水を導いて、満遍なく水やりを行うことが可能となる。
また、この様な水やりは、植栽舗装面上を、特別に通行止めにすること無く実施することが可能である。
【００１７】
本発明の第６の特徴構成は、本発明の第５の特徴構成に加えて、前記灌水筒は、ストレーナパイプで構成してあり、前記導水手段は、前記カバー部の表面に沿って前記ストレーナパイプと交差する方向に伸びる導水溝で構成してあるところにある。
【００１８】
本発明の第６の特徴構成によれば、本発明の第５の特徴構成による上述の作用効果を叶えることができるのに加えて、ストレーナパイプの各ストレーナ孔から吐出された水が、前記導水溝によって案内されて植栽物配置空間に導かれるわけであるが、導水溝自体は、閉塞した流路に比べて上方が溝開口として開放しているから、目詰まり等を生じ難いと共に、仮に、目詰まりを生じたにしても目視によって容易に確認することができ、メンテナンスを簡単に実施することが可能となる。
【００１９】
本発明の第７の特徴構成は、本発明の第５又は６の特徴構成による植栽舗装具を使用した植栽給水システムにおいて、雨水を貯留する貯水槽を設け、前記貯水槽の水を、前記灌水筒取付部に取り付けた前記灌水筒を通して前記植栽物配置空間へ送る給水ポンプを設け、前記植栽物配置空間での水分を検出する水分計を設け、前記貯水槽に水が存在すると共に、前記水分計の測定値が給水開始用に設定された所定値以下である場合に、前記給水ポンプを稼動させるように運転制御を行う給水制御手段を設けてあるところにある。
【００２０】
本発明の第７の特徴構成によれば、植栽物配置空間が乾燥してくると給水制御手段によって貯水槽に溜まった水を給水ポンプを駆動させて植栽物へ水やりすることが可能となり、人手をかけずに灌水することを実現させることができる。
従って、自動運転を実現することが可能となる。
【００２１】
本発明の第８の特徴構成は、本発明の第７の特徴構成に加えて、給水駆動用電気を供給自在な太陽電池設備を設けたところにある。
【００２２】
本発明の第８の特徴構成によれば、本発明の第７の特徴構成による上述の作用効果を叶えることができるのに加えて、更には、太陽エネルギーを基にして、当該植栽給水システムの稼働を行うことができ、植栽舗装設置環境内でのエネルギー循環によって植栽の育成を図ることができる。従って、ランニングコストの低減を図ることが可能となる。
【００２３】
【発明の実施の形態】
以下に本発明の実施の形態を図面に基づいて説明する。尚、図面において従来例と同一の符号で表示した部分は、同一又は相当の部分を示している。
【００２４】
図１は、本発明の植栽舗装具Ｈの一実施形態品（以後、単に舗装具と言う）Ｈ１を設置した駐車場のフロアー部分を示している。
駐車場は、コンクリートスラブ１を舗装下地として構成されており、その上に、当該舗装具Ｈ１を設置して植栽舗装２を形成してある。
【００２５】
前記植栽舗装２は、コンクリートスラブ１上に所定横間隔をあけて並設した複数の根太（保持部の一例）３と、各根太３間の植栽物配置空間Ｖに敷設したマット状芝（植栽マットの一例）４と、隣接する根太３にわたって掛け渡されて前記マット状芝４の上方を覆う状態に設置された複数のカバー部材（カバー部の一例）５とを備えて構成してある。
そして、カバー部材５の上面が舗装面Ｒとなり、車や人の荷重は、カバー部材５と根太３とで受け止めることで、その前記カバー部材５下方のマット状芝４を保護し、カバー部材５を通した芝（植栽物の一例）Ｇの緑を楽しむことができるように植栽舗装２が構成されている。
また、当該植栽舗装２への灌水は、図５に示すような植栽給水システムＳを使用して自動的に実施できるように構成してある。
【００２６】
以後に、各構成について説明する。
前記根太３は、本実施形態においてはコンクリート製品を用いており、図１、図３に示すように、断面形状「凸」字形状の長尺部材で構成してある。
この根太３のコンクリートスラブ１への固定は、例えば、接着材（合成樹脂接着剤や、モルタルや、両面テープ等）を使用したり、スラブに埋設されたアンカー部材を使用する等、様々な方法で実施することができる。
そして、断面形状「凸」字形状の上端部両角の窪み部分（支持部に相当）３ａに、それぞれ前記カバー部材５の端部が載置状態に設置される。従って、この窪み部分３ａの上向き面には、長手方向に間隔をあけてゴムシート６を貼着してあり、このゴムシート６を介してカバー部材５を受けることで、前記カバー部材５の位置ずれ防止を図ると共に、多少のガタがあってもそれをゴムシートの弾性変形で吸収し、車の通行に伴って生じ易いガタツキ騒音の発生防止を図っている。
一方、根太３の下縁部には、前記植栽物配置空間Ｖ内の水捌けを図る水捌け部７を形成してある。当該実施形態においては、長手方向に間隔を開けて形成した切欠き部によって、この水捌け部７が構成されている。従って、植栽物配置空間Ｖ内の水は、前記水捌け部７を通して隣接する植栽物配置空間Ｖへ移動しやすく、コンクリートスラブ１の勾配に沿って勾配下手側へ流れ、植栽物配置空間Ｖ内に水が滞留したままになるのを防止でき、芝の根腐れ防止に貢献している。
尚、根太３の断面形状「凸」字形状の上端凸部は、設置したカバー部材５の上面と面一（ツライチ）となるように形成してあり、舗装面Ｒの平坦性を向上させ、通行時に振動が発生し難いように構成されている。
因みに、コンクリートスラブ１に接当している根太３の下縁部が、本発明に係わる接地部Ｂに相当する。
【００２７】
前記植栽物配置空間Ｖは、隣り合う根太３間の空間であり、この部分に、当該実施形態においては、マット状芝４が敷設されている。但し、植栽物としては、マット状の芝に限らず、例えば、植栽物配置空間Ｖに土を入れた後、種まきや苗の植え付け等によって生育させて構成するものであってもよい。
尚、植栽物配置空間Ｖ内に適度な湿り気を保持させておくために、植栽物配置空間Ｖの底面、即ち、コンクリートスラブ１の上面には、保水層としての不織布８が敷設してある。
【００２８】
前記マット状芝４は、文字通り、マット状に生育させた芝で構成してあり、例えば、ロール状に巻き取ったものを、当該植栽物配置空間Ｖに載置し、根太３に沿って巻き戻すことで容易に設置作業を行うことができる。勿論、矩形形状に成形したマット状芝４をそれぞれ敷き並べて設置するものであってもよい。
【００２９】
前記カバー部材５は、金属（例えば、アルミニウムやダクタイル鋳鉄等）製で、図２に示すように、矩形板形状に形成してある。そして、隣り合う根太３の窪み部分３ａにわたる長さ寸法に設計してある。
実質的な構造は、図に示すような格子状に配置された仕切５Ａを設けて構成してあり、各仕切間の開口Ｋを通して、上方からは前記マット状芝４を観賞することができると共に、下方からは上方へ芝Ｇが生育することができる。
そして、隣接するカバー部材５どうしは、図に示すように、連結用板９を縁部の仕切５Ａ下面にわたって配置し、仕切５Ａを縦方向に貫通するビス１０によって固定されている。
また、端部の上面には、ストレーナパイプ（灌水筒の一例）Ｐを取付自在な長溝（灌水筒取付部に相当）５Ｂが、カバー部材５の幅方向に沿って形成してある。この長溝５Ｂは、各カバー部材５を隣接させて配置することで、夫々の長溝５Ｂが連通した一連の配管路となる。そして、長溝５Ｂの断面設計は、前記ストレーナパイプＰを内嵌させた状態で、ストレーナパイプＰの上縁部が、舗装面Ｒから上方へ突出しない深さに設定してある。このことによって、舗装面Ｒ上を車両が通過しても、荷重がストレーナパイプＰに集中的に作用するのを防止でき、ストレーナパイプＰの破損防止を図っている。
因みに、このストレーナパイプＰは、側面に水吐出用貫通孔Ｐａが形成してあり、ストレーナパイプＰの基端側から送水するに伴って、この貫通孔Ｐａを通して前記長溝５Ｂ内に水を吐出することができるものである。
一方、前記長溝５Ｂに直交する方向の仕切５Ａには、図２、図３に示すように、この長溝５Ｂに連通する状態に導水溝５Ａａを設けてある。そして、導水溝５Ａａの底は、長溝５Ｂから遠ざかるほど低くなるような下り勾配に形成してある。更には、導水溝５Ａａの底部分には、長手方向に間隔をあけて複数の貫通孔５Ａｂを形成してある。前記導水溝５Ａａと貫通孔５Ａｂとで導水手段Ｄが構成されている。
従って、ストレーナパイプＰから長溝５Ｂ内に吐出された水は、図４に示すように、前記各導水溝５Ａａを流れて各貫通孔５Ａｂからマット状芝４上面に降り注がれる。
【００３０】
前記植栽給水システムＳについて説明すると、図５に示すように、雨水を貯留する貯水槽１１を設け、前記貯水槽１１の水を、前記各カバー部材５にわたって取り付けた前記ストレーナパイプＰを通して前記植栽物配置空間Ｖへ送る給水ポンプ１２を設け、前記植栽物配置空間Ｖでの水分を検出する水分計１３を設け、給水ポンプ１２等の運転制御を行うコンピュータ（給水制御手段に相当）Ｃを設け、これらに電気を供給自在な太陽電池設備１４を設けて構成してある。
前記貯水槽１１には、図には示さないが水位センサが設けてあり、貯水槽１１内での水の有無を検知して、前記コンピュータＣに送信できるように構成してある。
そして、前記コンピュータＣは、貯水槽１１に水が存在する状態においては、前記水分計１３の測定値が給水開始用に設定された所定値以下である場合に、前記給水ポンプ１２を稼動させ、一定時間散水状態を継続するように制御する。また、貯水槽１１に水が存在しない状態においては、給水源を水道栓に切り替えて、同様の散水駆動を行うように制御する。
尚、給水開始用に設定する水分計１３の値は、各設置環境によって異なるから、現場での試行の結果決定するのが好ましい。
【００３１】
本実施形態の舗装具Ｈ１、及び、その舗装具を使用した植栽給水システムによれば、駐車場の車両や人の往来を許容しながら、マット状芝の健全な生育を促進させることができ、且つ、そのマット状芝の設置作業に関しては、迅速に実施することが可能となり、短期間の内に、駐車場の植栽舗装を完了することが可能となる。
更には、車両や人の往来を許容した状態での灌水を、全自動によって且つ有効なエネルギー利用によって実施することが可能となり、ランニングコストの低減、及び、外部エネルギーを使用しない地球に優しい稼動状態で植栽設備の維持を図ることが可能となる。
【００３２】
〔別実施形態〕
以下に他の実施の形態を説明する。
【００３３】
〈１〉  本発明に係わる植栽舗装具Ｈは、先の実施形態で説明した植栽舗装具Ｈ１ものに限るものではなく、各種変更を行うことが可能である。
例えば、保持部３とカバー部５とは、先の実施形態のように別部材によって構成してあるものに限らず、図６（イ）に示すように、保持部３とカバー部５とが一体に形成されたものであってもよい。
〈２〉  また、前記灌水筒取付部５Ｂは、カバー部の端部に設けるもの以外にも、図６（ロ）に示すように、カバー部の長手方向ほぼ中央部に形成してあってもよい。
〈３〉  そして、灌水筒Ｐは、先の実施形態で説明したストレーナパイプに限るものではなく、例えば、弾性変形自在な多孔質ホース等で構成してあってもよい。
〈４〉  前記保持部３は、先の実施形態で説明した長尺の根太に限るものではなく、例えば、図７に示すように、カバー部５の局部のみを保持するように構成されたブロック状のものであっても良く、より広い植栽物配置空間を確保することが可能となる。
【００３４】
尚、上述のように、図面との対照を便利にするために符号を記したが、該記入により本発明は添付図面の構成に限定されるものではない。
【図面の簡単な説明】
【図１】駐車場の要部を示す一部切欠き分解斜視図
【図２】植栽舗装具を示す分解斜視図
【図３】植栽舗装を示す短手方向視の断面図
（イ）図２中のイ−イ破断線での断面図
（ロ）図２中のロ−ロ破断線での断面図
【図４】植栽舗装を示す長手方向視の断面図
【図５】植栽給水システムを示す概念図
【図６】別実施形態の植栽舗装を示す短手方向視の断面図
【図７】別実施形態の植栽舗装を示す分解斜視図
【図８】従来の植栽舗装具の設置状況を示す分解斜視図
【符号の説明】
１      コンクリートスラブ（舗装下地の一例）
３      根太（保持部の一例）
３ａ    窪み部分（支持部に相当）
４      マット状芝（植栽マットの一例）
５      カバー部材（カバー部の一例）
５Ａａ  導水溝
５Ｂ    長溝（灌水筒取付部に相当）
７      水捌け部
１１    貯水槽
１２    給水ポンプ
１３    水分計
１４    太陽電池設備
Ｂ      接地部
Ｃ      コンピュータ（給水制御手段に相当）
Ｄ      導水手段
Ｇ      芝（植栽物の一例）
Ｋ      開口
Ｐ      ストレーナパイプ（灌水筒の一例）
Ｒ      舗装面
Ｖ      植栽物配置空間
【図１】
2005000028.tif 000003
【図２】
2005000028.tif 000004
【図３】
2005000028.tif 000005
【図４】
2005000028.tif 000006
【図５】
2005000028.tif 000007
【図６】
2005000028.tif 000008
【図７】
2005000028.tif 000009
【図８】
2005000028.tif 000010